(57)【要約】 【課題】  燃料や純水等の購入品の単価をボイラー設備毎の蒸気単価に自動的に反映させることができ、最新の蒸気単価に基づいてボイラー設備の運転計画を立てることができる蒸気単価計算システムを提供する。【解決手段】  燃料、純水等の購入品の購入単価データーを格納する購入単価データーベース１と、発電設備毎の蒸気単価計算式を記憶する記憶装置３を有する演算装置２とからなり、該演算装置２が前記購入単価データーベース１から購入単価データーを取得してボイラー設備毎の蒸気単価を計算するように構成してある。【選択図】    図１
2006259807.tif 000002
【特許請求の範囲】
【請求項１】
燃料、純水等の購入品の購入単価データーを格納する購入単価データーベースと、発電設備毎の蒸気単価計算式を記憶する記憶装置を有する演算装置とからなり、該演算装置が前記購入単価データーベースから購入単価データーを取得してボイラー設備毎の蒸気単価を計算するようにした蒸気単価計算システム。
【請求項２】
前記購入単価データーベースと前記演算装置をネットワークを介して接続してある請求項１に記載の蒸気単価計算システム。
【請求項３】
前記購入単価データーベースに格納された購入単価データーが更新されたときに、前記演算装置が前記購入単価データーベースから更新された購入単価データーを自動的に取得するようにした請求項１又は２に記載の蒸気単価計算システム。
【請求項４】
前記演算装置が計算した蒸気単価データーを自動的に出力する出力装置を備えた請求項１乃至３の何れかに記載の蒸気単価計算システム。
【請求項５】
前記演算装置が計算した蒸気単価データーを格納する蒸気単価データーベースを備えた請求項１乃至４の何れかに記載の蒸気単価計算システム。
【請求項６】
前記演算装置が計算した蒸気単価が、前回の計算値から一定割合以上変化したときに警告を発するようにした請求項５に記載の蒸気単価計算システム。
【請求項７】
前記演算装置が、前記蒸気単価データーベースに格納された蒸気単価の推移傾向から蒸気単価を予測する予測機能を有する請求項５又は６に記載の蒸気単価計算システム。
【請求項８】
前記演算装置が購入単価データーに基づいて計算した蒸気単価が予測した蒸気単価に対して一定割合以上異なるときに警告を発するようにした請求項７に記載の蒸気単価計算システム。
【発明の詳細な説明】
【技術分野】
【０００１】
本発明は、ボイラーで蒸気を発生させるときの蒸気単価を計算する蒸気単価計算システムに関するものである。
【背景技術】
【０００２】
電力需要は、夏場や冬場のように季節により変動するとともに、昼間と夜間においても大きく変動する。発電事業者は、この電力需要の変動に対応して発電量を調整する必要があり、火力発電等のようにボイラーで発生させた蒸気でタービンを回転させて発電する発電設備では、単位重量当たりの蒸気を発生させるコストである蒸気単価を基にして発電設備の運転計画を立てている。
【発明の開示】
【発明が解決しようとする課題】
【０００３】
従来、蒸気単価の計算は、燃料単価、純水単価、薬品単価等の購入品の単価を手入力し、計算を人手に頼っていたために、多大な労力と時間を要していた。このため、蒸気単価の計算を行う頻度も少なく、購入品の単価の変動が蒸気単価に反映され難いという課題があった。
そこで、本発明は、燃料や純水等の購入品の単価をボイラー設備毎の蒸気単価に自動的に反映させることができ、最新の蒸気単価に基づいてボイラー設備の運転計画を立てることができる蒸気単価計算システムを提供するものである。
【課題を解決するための手段】
【０００４】
本発明は、上記課題を解決するために、燃料、純水等の購入品の購入単価データーを格納する購入単価データーベースと、発電設備毎の蒸気単価計算式を記憶する記憶装置を有する演算装置とからなり、該演算装置が前記購入単価データーベースから購入単価データーを取得してボイラー設備毎の蒸気単価を計算するようにした蒸気単価計算システムを提供するものである。
【０００５】
また、本発明は、前記購入単価データーベースと前記演算装置をネットワークを介して接続してある請求項１に記載の蒸気単価計算システムを提供するものである。
【０００６】
また、本発明は、前記購入単価データーベースに格納された購入単価データーが更新されたときに、前記演算装置が前記購入単価データーベースから更新された購入単価データーを自動的に取得するようにした請求項１又は２に記載の蒸気単価計算システムを提供するものである。
【０００７】
また、本発明は、前記演算装置が計算した蒸気単価データーを自動的に出力する出力装置を備えた請求項１乃至３の何れかに記載の蒸気単価計算システムを提供するものである。
【０００８】
また、本発明は、前記演算装置が計算した蒸気単価データーを格納する蒸気単価データーベースを備えた請求項１乃至４の何れかに記載の蒸気単価計算システムを提供するものである。
【０００９】
また、本発明は、前記演算装置が計算した蒸気単価が、前回の計算値から一定割合以上変化したときに警告を発するようにした請求項５に記載の蒸気単価計算システムを提供するものである。
【００１０】
また、本発明は、前記演算装置が、前記蒸気単価データーベースに格納された蒸気単価の推移傾向から蒸気単価を予測する予測機能を有する請求項５又は６に記載の蒸気単価計算システムを提供するものである。
【００１１】
また、本発明は、前記演算装置が購入単価データーに基づいて計算した蒸気単価が予測した蒸気単価に対して一定割合以上異なるときに警告を発するようにした請求項７に記載の蒸気単価計算システムを提供するものである。
【発明の効果】
【００１２】
本発明に係る蒸気単価計算システムによれば、燃料、純水等の購入品の購入単価データーを格納する購入単価データーベースと、発電設備毎の蒸気単価計算式を記憶する記憶装置を有する演算装置とからなり、該演算装置が前記購入単価データーベースから購入単価データーを取得してボイラー設備毎の蒸気単価を計算するようにした構成を有することにより、購入単価データーベースに格納された購入単価データーを取得してボイラー設備毎の蒸気単価を自動的に計算することができ、ボイラー設備の運転計画に使用する蒸気単価に購入品の購入単価の変動を反映させることができる効果がある。
【００１３】
また、本発明は、前記購入単価データーベースと前記演算装置をネットワークを介して接続してある請求項１に記載の構成を有することにより、演算装置がネットワークを介して購入単価データーを取得することができるから、事業所間や発電所間を接続して購入単価データーベースと演算装置を設置することができる効果がある。
【００１４】
また、本発明は、前記購入単価データーベースに格納された購入単価データーが更新されたときに、前記演算装置が前記購入単価データーベースから更新された購入単価データーを自動的に取得するようにした請求項１又は２に記載の構成を有することにより、購入単価データーベースに格納された購入単価データーが更新されると、リアルタイムでボイラー設備毎の蒸気単価に反映させることができる効果がある。
【００１５】
また、本発明は、前記演算装置が計算した蒸気単価データーを自動的に出力する出力装置を備えた請求項１乃至３の何れかに記載の構成を有することにより、計算した蒸気単価データーを画面表示したり、帳票にして印刷したりすることができる効果がある。
【００１６】
また、本発明は、前記演算装置が計算した蒸気単価データーを格納する蒸気単価データーベースを備えた請求項１乃至４の何れかに記載の構成を有することにより、計算した蒸気単価データーを蒸気単価データーベースに蓄積して統計管理することができる効果がある。
【００１７】
また、本発明は、前記演算装置が計算した蒸気単価が、前回の計算値から一定割合以上変化したときに警告を発するようにした請求項５に記載の構成を有することにより、急激に蒸気単価が変動したときに注意を促すことができるのみならず、購入単価データーベースへの購入単価の入力ミス等による蒸気単価の変動を防止することができる効果がある。
【００１８】
また、本発明は、前記演算装置が、前記蒸気単価データーベースに格納された蒸気単価の推移傾向から蒸気単価を予測する予測機能を有する請求項５又は６に記載の構成により、将来の蒸気単価の傾向を予測することができる効果がある。
【００１９】
また、本発明は、前記演算装置が購入単価データーに基づいて計算した蒸気単価が予測した蒸気単価に対して一定割合以上異なるときに警告を発するようにした請求項７に記載の構成を有することにより、蒸気単価の過去の推移傾向から変化したときに注意を促すことができるのみならず、購入単価データーベースへの購入単価の入力ミス等による蒸気単価の変動を防止することができる効果がある。
【発明を実施するための最良の形態】
【００２０】
本発明の実施の形態を図示する実施例に基づいて説明する。
本発明に係る蒸気単価計算システムは、燃料、純水等の購入品の購入単価データーを格納する購入単価データーベース１と、発電設備毎の蒸気単価計算式を記憶する記憶装置３を有する演算装置２とからなり、該演算装置２が前記購入単価データーベース１から購入単価データーを取得してボイラー設備毎の蒸気単価を計算するように構成してある。
【実施例１】
【００２１】
以下、発電所のボイラー設備について説明する。
図１に示す実施例において、購入単価データーベース１には、原油、重油、石炭等の燃料単価、純水単価、薬品単価等の購入単価データーを購入品毎に格納することができるように構成してある。また、購入単価データーベース１は、購買部門の端末に接続してあり、最新の購入単価データーを格納することができるようにしてある。
【００２２】
図１に示す実施例において、演算装置２は、ハードディスク等の記憶装置３を有するコンピュータからなり、各発電所に設けてある。演算装置２は、専用回線又はインターネット等のネットワーク５を介して購入単価データーベース１に接続してあり、ネットワーク５を介して購入単価データーベース１から購入単価データーを取得することができるように構成してある。
また、購入単価データーベース１は、格納された購入単価データーが更新されたときに、ネットワーク５を介して各演算装置２に更新された購入単価データーを自動的に送信することができるようにしてあり、演算装置２は更新された購入単価データーを取得すると蒸気単価を再計算するようにしてある。
【００２３】
記憶装置３には、ボイラー設備毎の蒸気単価計算式を記憶してあり、数式１に示す計算式により蒸気単価を計算するようにしてある。
【００２４】
【数１】
2006259807.tif 000003
【００２５】
数式１において、蒸気エンタルピーＨｓ、発熱量Ｑ、ボイラー効率ηは、ボイラー設備毎の固有の数値であり、ボイラー設備毎に記憶装置３に記憶してある。ボイラー効率ηは効率８５％の場合にη＝０．８５となる。
演算装置２は、購入単価である燃料単価Ａと純水単価Ｂを購入単価データーベース１から取得して、数式１に代入してボイラー設備毎の蒸気単価Ｓｃを計算することができる。
【００２６】
図１に示す実施例において、演算装置２は、出力装置としてプリンター４を備えてあり、計算した蒸気単価データーに基づいて自動的に図２に示すような帳票を作成して出力することができるように構成してある。出力装置は、プリンターに限らず、蒸気単価データーを画面に表示したり、ネットワーク５を介して他のデーターベースに送信したりすることも可能である。
また、記憶装置３には、計算した蒸気単価データーを格納する蒸気単価データーベース３ａを備えており、蒸気単価データーを蓄積して統計管理することができるようにしてある。
【００２７】
演算装置２は、計算した蒸気単価と蒸気単価データーベース３ａに格納された蒸気単価データーとを比較し、前回の計算値から一定割合以上変化したときに警告を発することができるように構成してある。例えば、計算した蒸気単価が、前回の計算値に対して±１０％以上変動した場合に、帳票に警告のメッセージ記載して出力することができる。
【００２８】
また、演算装置２は、蒸気単価データーベース３ａに格納された蒸気単価データーの分布から近似曲線を求め、蒸気単価の推移傾向から蒸気単価を予測する予測機能を備えてある。また、演算装置２は、購入単価データーに基づいて計算した蒸気単価が予測した蒸気単価に対して一定割合以上異なるときに警告を発することができるように構成してある。例えば、計算した蒸気単価が予測値に対して±１０％以上変動した場合に警告を発したり、蒸気単価の推移が上昇傾向の予測から下降に転じた場合に警告を発したりすることができる。
【図面の簡単な説明】
【００２９】
【図１】本発明蒸気単価計算システムの一実施例を示す構成図。
【図２】本発明蒸気単価計算システムの出力例を示す図。
【符号の説明】
【００３０】
１  購入単価データーベース
２  演算装置
３  記憶装置
３ａ  蒸気単価データーベース
４  プリンター
５  ネットワーク
【図１】
2006259807.tif 000004
【図２】
2006259807.tif 000005